(57)【特許請求の範囲】
【請求項１】
横型包装機におけるフィルムロール(16,24)のセット装置であって、
前記フィルムロール(16)の紙管(14)を保持する第１のフィルムセット手段(18)と、
前記フィルムロール(24)を、２本のローラ(50,52)間に載置保持する第２のフィルムセット手段(26)とを備え、
前記第２のフィルムセット手段(26)は、フィルム引出し経路において前記第１のフィルムセット手段(18)より下流側に配設されている
ことを特徴とする横型包装機におけるフィルムロールのセット装置。
【請求項２】
前記第１のフィルムセット手段(18)に装填されたフィルムロール(16)からフィルム(12)を引出すフィルム繰出しローラが、前記第２のフィルムセット手段(26)における２本のローラ(50,52)の何れか一方を兼ねており、第２のフィルムセット手段(26)を使用する際には、該フィルム繰出しローラがフィルムロール(24)の外周に当接して回転力を付与するよう構成される請求項１記載の横型包装機におけるフィルムロールのセット装置。
【請求項３】
前記第２のフィルムセット手段(26)には、２本のローラ(50,52)間に載置保持されるフィルムロール(24)の幅方向の位置決めを行なう位置決め機構(56)が設けられる請求項１または２記載の横型包装機におけるフィルムロールのセット装置。
【請求項４】
前記第２のフィルムセット手段(26)以降の製袋器まで移送される間のフィルム(20)を案内する複数の案内ローラ(47)には、フィルム粘着防止処理が施されている請求項１〜３の何れかに記載の横型包装機におけるフィルムロールのセット装置。
【発明の詳細な説明】
【０００１】
【発明の属する技術分野】
本発明は、横型包装機において使用されるフィルムロールのセット装置に関するものである。
【０００２】
【従来の技術】
ポリプロピレン等の各種材質からなる印刷フィルムを使用して一般的なピロー包装を行なう横型製袋充填機と、自己粘着性を有すると共に、ピロー包装用のフィルムよりも薄い材質で印刷が施されていない、例えばストレッチシュリンク包装用のフィルムを使用する横型のストレッチ包装機とでは、使用されるフィルムの性質上、フィルムセット部におけるフィルムロールの保持方式が異なっている。従って、これらのフィルムにより異なる包装を行なう場合には、夫々個々のフィルム用のフィルムセット部を備えた専用の包装機を設置していた。
【０００３】
【発明が解決しようとする課題】
今日のように、ユーザーの嗜好に応じて多品種少量生産を行なう必要があるのにも拘らず、前述した異なる性質のフィルム毎に専用の包装機を設置して生産を行なうことは、生産ラインの設置スペースが増大するばかりでなく、生産効率の点でも好ましくなく、また包装機の購入コストが嵩む等、多くの問題があった。
【０００４】
【発明の目的】
この発明は、前述した従来の技術に内在している前記課題に鑑み、これを好適に解決するべく提案されたものであって、１台の包装機で、性質の異なるフィルムを兼用できる横型包装機におけるフィルムロールのセット装置を提供することを目的とする。
【０００５】
【課題を解決するための手段】
前述した課題を解決し、所期の目的を好適に達成するため本発明は、
横型包装機におけるフィルムロールのセット装置であって、
前記フィルムロールの紙管を保持する第１のフィルムセット手段と、
前記フィルムロールを、２本のローラ間に載置保持する第２のフィルムセット手段とを備え、
前記第２のフィルムセット手段は、フィルム引出し経路において前記第１のフィルムセット手段より下流側に配設されていることを特徴とする。
【０００６】
【作用】
一般的なピロー包装を行なうためのフィルムを紙管に巻回したフィルムロールを用いる場合は、その紙管を第１のフィルムセット手段に保持させて、該フィルムにより包装を行なう。また、例えばストレッチシュリンク包装用のフィルムを紙管に巻回したフィルムロールを用いる場合は、該ロールを第２のフィルムセット手段における２本のローラに載置状態で保持させて、該フィルムにより包装を行なう。すなわち、性質の異なるフィルムを兼用することができ、専用の包装機を設置する必要はなくなる。また第１のフィルムセット手段のフィルム繰出しローラが、フィルム引出し経路において第１のフィルムセット手段より下流側に配設した第２のフィルムセット手段における２本のローラの何れか一方を兼ねるので、装置の大型化は防止される。なお、第２のフィルムセット手段以降の製袋器まで移送される間のフィルムを案内する複数の案内ローラには、フィルム粘着防止処理が施されており、自己粘着性を有するフィルムを用いる場合の円滑な移送が達成される。
【０００７】
【発明の実施の形態】
次に、本発明に係る横型包装機におけるフィルムロールのセット装置につき、好適な実施例を挙げて、添付図面を参照しながら以下説明する。
【０００８】
図１は、横型製袋充填機におけるフィルムロールのセット装置を示すものであって、該セット装置１０は、一般的なピロー包装に用いられる印刷フィルム等の第１のフィルム１２を紙管１４に巻回した第１のフィルムロール１６を、その紙管１４を介して挿通保持する第１のフィルムセット手段１８と、ストレッチ包装に用いられる自己粘着性のあるストレッチシュリンクフィルム等の第２のフィルム２０を紙管２２に巻回した第２のフィルムロール２４を、載置状態で保持する第２のフィルムセット手段２６とが装置機枠２８に配設されて構成される。
【０００９】
【第１のフィルムセット手段】
前記第１のフィルムセット手段１８は、装置機枠２８に一端が回転可能に支持されて前方(図２の下側)に水平に延出する中空支持管３０を備え、この支持管３０の自由端部(前端)を介して第１のフィルムロール１６の紙管１４を外挿することによって、該フィルムロール１６を着脱自在に保持し得るようになっている。なお中空支持管３０は、第１のフィルムロール１６からの第１のフィルム１２の引出しに際し、装置機枠２８の後側に配設された制動機構３２により所要の制動が付与されて、第１のフィルム１２が弛むことなく張った状態で引出されるよう構成してある。
【００１０】
前記中空支持管３０の周面には、フィルム引出し方向のセンターを挟む長手方向の両側に、長手方向に延在する貫通長溝３４,３６が周方向に中心角１２０°で合計３本穿設されている。また中空支持管３０に、軸心を一致させて逆ねじ軸(図示せず)が挿通支持されており、該逆ねじ軸には前記各貫通長溝３４,３６に対応して係止爪３８および係止片４０が夫々配設される。そして、係止爪３８および係止片４０は、逆ねじ軸の正逆回転により、各貫通長溝３４,３６に沿って相互に近接・離間移動するよう構成される。なお、後側(装置機枠側)に位置する係止片４０は、対応する貫通長溝３６から半径方向に常時突出するよう設定されており、第１のフィルムロール１６の紙管１４を中空支持管３０に自由端部側から外挿した際のストッパとしても機能するよう構成される。また前側に位置する係止爪３８は、係止片４０に対して近接・離間移動する際に貫通長溝３４から出没し、係止片４０から離間移動したときには貫通長溝３４から突出しないよう設定されて、中空支持管３０への第１のフィルムロール１６の装填を許容するようになっている。
【００１１】
前記中空支持管３０の自由端部側には、逆ねじ軸に連結された第１ハンドル４２が回転可能に配設され、該ハンドル４２を手動で回転操作することによって、逆ねじ軸が正逆方向に回転されるようになっている。なお、逆ねじ軸の回転時における前記係止爪３８および係止片４０の移動量は同一に設定されており、係止爪３８および係止片４０を近接移動することで挟持される第１のフィルムロール１６のフィルム引出し方向のセンターは、自動的に決定されるよう構成される。
【００１２】
前記第１のフィルムセット手段１８と第２のフィルムセット手段２６との間のフィルム引出し経路には、図１に示す如く、第１のフィルムセット手段１８に装填された第１のフィルムロール１６から引出される第１のフィルム１２に付されたレジマークを検出するレジマークセンサ４４が配設されている。また装置機枠２８には、第１のフィルムセット手段１８と図示しない製袋器との間のフィルム引出し経路に複数の案内ローラ４６,４７が回転可能に配設され、第２のフィルムセット手段２６の後述する他方の載置ローラ５２を経て一方の載置ローラ５０に巻掛けられた第１のフィルムセット手段１８から引出される第１のフィルム１２が、これら複数の案内ローラ４６,４７を介して製袋器に向けて引出されるように巻掛け案内される。なお、第１のフィルム１２は、一方の載置ローラ５０と後述する挟持ローラ５４とで挟持され、該載置ローラ５０の回転駆動により移送されるようになっている。
【００１３】
【第２のフィルムセット手段】
前記第２のフィルムセット手段２６は、図１に示す如く、フィルム引出し経路において前記第１のフィルムセット手段１８より下流側に配設されている。この第２のフィルムセット手段２６は、図２に示す如く、前記装置機枠２８と、前方に離間して配設されるフレーム４８との間に回転可能に架設されて左右方向に離間して平行に水平配置された２本の載置ローラ(ローラ)５０,５２を備え、両載置ローラ５０,５２間に第２のフィルムロール２４が載置状態で保持されるようになっている。一方(図１の左側)の載置ローラ５０は、表面がゴム等の弾性材から構成されたローラであり、図示しないフィルム引出し機構における駆動系に連繋されて所定方向に回転駆動されるよう構成される。そして、この一方の載置ローラ５０に外周が当接する第２のフィルムロール２４に回転力を付与し、前記製袋器に向けて第２のフィルム２０を繰出すべく機能する。また装置機枠２８とフレーム４８との間には、一方の載置ローラ５０に対して近接・離間移動可能に挟持ローラ５４が架設され、第２のフィルムセット手段２６を使用する場合は、第２のフィルムロール２４から引出されて一方の載置ローラ５０に巻掛けられた第２のフィルム２０が、該一方の載置ローラ５０と挟持ローラ５４とで挟持されて、該セット手段２６以降(フィルム引出し方向下流側)に配設される前記複数の案内ローラ４７を経て製袋器に向けて引出されるように、各ローラ５０,５４,４７に巻掛け案内されるようになっている。
【００１４】
なお、一方の載置ローラ５０および挟持ローラ５４は、前記第１のフィルムセット手段１８に装填された第１のフィルムロール１６からの第１のフィルム１２の引出しを行なうフィルム繰出しローラを兼用するよう構成される。また第２のフィルムロール２４が載置される他方の載置ローラ５２は、自由回転可能に構成されており、前述したように第１のフィルムセット手段１８を使用する場合のフィルム案内ローラとしても機能する。
【００１５】
前記第２のフィルムセット手段２６には、前記２本の載置ローラ５０,５２間に載置保持される第２のフィルムロール２４の紙巻２２端縁部側に当接して、該フィルムロール２４の幅方向(フィルム引出し方向と直交する方向)の位置決めを行なう位置決め機構５６が設けられている。この位置決め機構５６は、図２に示す如く、前記装置機枠２８とフレーム４８との間に回転可能に枢支されて、２本の載置ローラ５０,５２の間に平行に延在する逆ねじ軸５８を備える。この逆ねじ軸５８には、フィルム引出し方向のセンターを挟む長手方向の両側に、逆ねじとして雄ねじ６０,６２が螺切され、各雄ねじ６０,６２に移動体６４,６６が対応的に配設されている。また、逆ねじ軸５８の前端に第２ハンドル６８が取付けられ、該ハンドル６８を手動で回転操作することによって、逆ねじ軸５８が正逆方向に回転され、前記一対の移動体６４,６６が相互に近接・離間移動するようになっている。なお移動体６４,６６は、装置機枠２８とフレーム４８との間に架設された逆ねじ軸５８と平行なシャフト７０に摺動可能に配設されることで回動が阻止されるよう設定されている。
【００１６】
前記各移動体６４,６６には、規制棒７２,７４が夫々立設されると共に、該規制棒７２,７４の上端部近傍に脱落防止部材７６,７８が配設される。そして、両規制棒７２,７４を逆ねじ軸５８の回転により相互に近接し、前記両載置ローラ５０,５２に載置されている第２のフィルムロール２４の幅方向両端面から突出する紙管２２端縁に当接する間隔に位置決めすることで、各規制棒７２,７４が紙管２２端縁部を基準にして第２のフィルムロール２４の幅方向の位置決めを行なうよう構成される。また各脱落防止部材７６,７８は、第２のフィルムロール２４の紙管２２における開口端より内方に臨んで、第２のフィルム２０が引出される際に載置ローラ５０,５２から第２のフィルムロール２４が脱落するのを防止するようになっている。なお、脱落防止部材７６,７８の規制棒７２,７４に対する配設位置は、第２のフィルム２０の消費によって第２のフィルムロール２４の直径が小さくなった場合であっても、該脱落防止部材７６,７８が紙管２２の内周から外れないよう設定される。
【００１７】
前記第２のフィルムセット手段２６と製袋器との間のフィルム引出し経路に配設される前記複数の案内ローラ４７および挟持ローラ５４は、第２のフィルム２０との接触表面に、ショット加工等のフィルム粘着防止処理が施され、ストレッチシュリンクフィルム等の自己粘着作用があるフィルムでも良好に引出し案内可能に構成されている。
【００１８】
【実施例の作用】
次に、前述した実施例に係る横型包装機におけるフィルムロールのセット装置の作用につき説明する。
【００１９】
一般的なピロー包装に使用される第１のフィルム１２を用いて包装を行なう場合は、前記第１のフィルムセット手段１８に第１のフィルムロール１６を装填する。すなわち、第１のフィルムロール１６の装填前の状態では、前記３本の係止爪３８は中空支持管３０の周面から突出しておらず、第１のフィルムロール１６の紙管１４を該中空支持管３０に外挿することができる。この場合において、前記３本の係止片４０は、中空支持管３０の周面から常時突出しているので、第１のフィルムロール１６の端部は最終的にこの係止片４０に当接して移動を阻止される。
【００２０】
前記第１のフィルムロール１６を中空支持管３０に外挿した後、前記第１ハンドル４２を手動操作して逆ねじ軸を所定方向に回転し、前記係止爪３８と係止片４０とを相互に近接する方向に移動させる。係止爪３８は移動に伴って中空支持管３０の周面から突出し、係止爪３８および係止片４０が前記紙管１４の開口端部に押圧されることで、中空支持管３０に対して第１のフィルムロール１６が装填固定される。また、第１のフィルムロール１６のフィルム引出し方向のセンターも自動的に決定される。
【００２１】
前記第１のフィルムセット手段１８に装填した第１のフィルムロール１６から引出した第１のフィルム１２を、図１に示す如く、前記第２のフィルムセット手段２６より上流側に配設した複数の案内ローラ４６、他方の載置ローラ５２、一方の載置ローラ５０および第２のフィルムセット手段２６より下流側に配設した複数の案内ローラ４７に巻掛けた後、前記製袋器および図示しないフィルム移送機構にセットする。そして、前記挟持ローラ５４を一方の載置ローラ５０に近接して第１のフィルム１２を挟持した状態で、一方の載置ローラ５０を回転駆動することで、第１のフィルムセット手段１８に装填されている第１のフィルムロール１６から引出された第１のフィルム１２が製袋器に向けて移送され、一般的なピロー包装に供される。
【００２２】
なお、第１のフィルムセット手段１８を使用する場合は、前記第２のフィルムセット手段２６に配設されている位置決め機構５６の第２ハンドル６８を所定方向に回転し、一対の規制棒７２,７４を相互に離間移動させることで、第１のフィルムセット手段１８に装填されている第１のフィルムロール１６から引出される第１のフィルム１２の幅方向の両端縁に該規制棒７２,７４が接触しないようにしておく。また前記第１のフィルムセット手段１８から第１のフィルムロール１６を取外す場合は、前記第１ハンドル４２を逆方向に回転させることにより、係止爪３８および係止片４０が相互に離間する方向に移動する。このとき係止爪３８は、移動に伴い中空支持管３０中に没し、従って第１のフィルムロール１６を中空支持管３０から取外すことができる。
【００２３】
次に、ストレッチシュリンク包装に使用される自己粘着性のあるストレッチシュリンクフィルム等の第２のフィルム２０を用いて包装を行なう場合は、前記第２のフィルムセット手段２６における一対の載置ローラ５０,５２間に、第２のフィルムロール２４を載置保持させる。このとき、前記一対の規制棒７２,７４が第２のフィルムロール２４の幅方向両側に臨み、該第２のフィルムロール２４の幅方向の位置決めがなされる。この第２のフィルムロール２４から引出した第２のフィルム２０を、一方の載置ローラ５０および第２のフィルムセット手段２６より下流側に配設した前記複数の案内ローラ４７に巻掛けた後、前記製袋器およびフィルム移送機構にセットする。そして、前記挟持ローラ５４を一方の載置ローラ５０に近接して第２のフィルム２０を挟持した状態で、一方の載置ローラ５０を回転駆動することで、第２のフィルムセット手段２６に載置保持されている第２のフィルムロール２４から引出された第２のフィルム２０が製袋器に向けて移送され、ストレッチシュリンク包装に供される。
【００２４】
この場合において、第２のフィルム２０が巻掛け案内される複数の案内ローラ４７にはフィルム粘着防止処理が施されているから、該第２のフィルム２０の円滑な移送が達成される。また、前記一対の規制棒７２,７４に配設されている脱落防止部材７６,７８により、前記載置ローラ５０,５２から第２のフィルムロール２４が脱落するのは防止される。
【００２５】
【変更例】
本願発明に係るフィルムロールのセット装置は、前述した実施例の構成に限定されるものでなく、各種の変更が可能である。
例えば、フィルム紙管保持式の第１のフィルムセット手段は、実施例の方式に限らず、紙巻を保持する方式であれば、中空支持管に着脱可能に配設した一対の保持ブロックの間にフィルムロールを保持する方式や、あるいは紙管に挿通される中空支持管等を有しない一対の保持部材のみにより紙管を長手方向の両側から挟持して保持する方式等、如何なる方式であってもよい。
フィルムロール載置式の第２のフィルムセット手段に設けられるフィルムロールの位置決め機構は、実施例の方式に限らず、手動にてフィルム幅方向の各側縁毎に個々に調節するものであってもよい。また規制棒を紙管縁端に当接する際には、フィルムロールの回転を阻害しない程度の当接であることは勿論であるが、一対の規制棒の間隔を、紙管端縁間の寸法より僅かに広い間隔に設定することでフィルムロールの幅方向の位置決めを行なうようにしてもよい。
複数の案内ローラのフィルム粘着防止処理は、実施例ではショット加工によるものであるが、例えばフッ素加工等、他の粘着防止処理材を塗布したり各ローラの表面に粘着防止部材を被覆したり、あるいはローラ自体の材質をフィルムと粘着しない材質で構成する等、如何なる処理でも良い。
フィルム紙巻保持式の第１のフィルムセット手段よりフィルム移送方向下流側にフィルムロール載置式の第２のフィルムセット手段を設け、そのセット手段以降の複数の案内ローラにフィルム粘着防止処理を施したが、第１のフィルムセット手段にストレッチシュリンクフィルム等の自己粘着性の印刷フィルムを装填する場合には、第１のフィルムセット手段から製袋器に至る間に設けられた全ての案内ローラにフィルム粘着防止処理を施しておけばよい。
【００２６】
【発明の効果】
以上説明した如く、本発明の請求項１に係る横型包装機におけるフィルムロールのセット装置では、フィルムロールの紙管を保持する第１のフィルムセット手段と、フィルムロールを２本のロール間に載置保持する第２のフィルムセット手段とを併設したので、例えば一般的なピロー包装とストレッチシュリンク包装の兼用包装ができる。また、性質の異なる個々のフィルムに適した包装機を個々に製造して設置する必要がなく、設備コストを低減できると共に、設置スペースを減少できてスペース効率を高めることができる。更に、ストレッチシュリンクフィルム等、その他自己粘着作用があるフィルムを用いる場合に使用される第２のフィルムセット手段を、第１のフィルムセット手段よりフィルム引出し経路における下流側に配置したので、製袋器に向けて移送されるまでの間に配設されるフィルムの案内ローラに施すフィルム粘着防止処理は、第２のフィルムセット手段以降のものに施せばよい。
【００２７】
請求項２に係るセット装置では、第１のフィルムセット手段に装填されたフィルムロールからフィルムを引出すフィルム繰出しローラが、第２のフィルムセット手段を使用する場合のフィルムローラを回転するローラを兼ねるので、セット手段を２つ併設しても装置が大型化することはなく、かつ装置コストの増加も最小限に抑制できる。
【００２８】
請求項３に係るセット装置では、第２のフィルムセット手段における２本のローラ間に載置保持されるフィルムロールの幅方向の位置決めを行なう位置決め機構を設けたから、該フィルムロールから引出されるフィルムの移送は正確に行なわれる。更に、請求項４に係るセット装置によれば、ストレッチシュリンクフィルム等、その他自己粘着作用があるフィルムのフィルムロールを第２のフィルムセット手段に載置保持して使用する場合に、該フィルムロールから引出されるフィルムが巻掛け案内される案内ローラにフィルム粘着防止処理を施しているから、該フィルムの円滑な移送が達成される。
【図面の簡単な説明】
【図１】本発明の好適な実施例に係る横型包装機におけるフィルムロールのセット装置を示す正面図である。
【図２】実施例に係るセット装置の平面図である。
【符号の説明】
１２  第１のフィルム
１４  紙管
１６  第１のフィルムロール
１８  第１のフィルムセット手段
２０  第２のフィルム
２２  紙管
２４  第２のフィルムロール
２６  第２のフィルムセット手段
４７  案内ローラ
５０  一方の載置ローラ(ローラ,フィルム繰出しローラ)
５２  他方の載置ローラ(ローラ)
５６  位置決め機構
【図１】
0003721534.tif 000002
【図２】
0003721534.tif 000003